(57)【要約】【課題】本考案の吊りバンド付き弾帯は、係止具のバンド取付枠に対する軸部のガタツキや、バンド取付枠と軸部との相互の摩擦による摺擦する際の雑音が発生するのを防止する。【解決手段】帯状体２の一側に、長さを調整する調整具３を設け、帯状体の両側を着脱可能に連結するバックル等の連結具４を設け、長手方向に係止具係合用の孔５を配列して成る弾帯１を、両肩に掛けられる吊りバンド６の両端部に、前記孔に係脱自在に係合する係止具Ａを固着した吊りバンド付き弾帯において、前記係止具は、吊りバンド６の端部に連結されるバンド取付枠１４と、座金部１５を介してバンド取付枠に軸部１６により回動可能に枢着され、一側に開口部１７を有するリング状の係止具本体１８と、該係止具本体に基端部が枢着され、先端部が前記開口部の端部の内面に当接する方向に附勢される閉鎖部材１９とにより構成される。【選択図】図１
0003107926.tif 000002
【実用新案登録請求の範囲】
【請求項１】
皮革材或いは強靱な繊維材で形成された帯状体の一側に、該帯状体の端部を折り返して係止し前記帯状体の長さを調整する調整具を設け、前記帯状体の両側を着脱可能に連結するバックル等の連結具を設け、前記帯状体の長手方向に、係止具係合用の孔を多数配列して設けて成る弾帯と、両肩に掛けられる吊りバンドの両端部に、前記弾帯の係止具係合用の孔に係脱自在に係合する係止具を固着した吊りバンド付き弾帯において、
前記係止具は、前記吊りバンドの端部に連結されるバンド取付枠と、該バンド取付枠の内側面に接触する座金部を介してバンド取付枠に軸部により回動可能に枢着され、一側に開口部を有するリング状の係止具本体と、該係止具本体に基端部が枢着され、先端部が前記開口部の端部の内面に当接する方向に附勢される閉鎖部材とにより構成されることを特徴とした吊りバンド付き弾帯。
【請求項２】
前記座金部は、軸部とは別体に形成され、軸部の頭部の下面に介装されることを特徴とする請求項１に記載の吊りバンド付き弾帯。
【考案の詳細な説明】
【技術分野】
【０００１】
本考案は、腰に巻き付ける武装用の弾帯に、肩に掛ける吊りバンドを着脱自在に取付けることにより、弾帯に挿着した携帯具を含めた弾帯の総重量を部分的に肩でも受けるようにした吊バンド付き弾帯の改良に関するものである。
【背景技術】
【０００２】
従来、例えば腰に巻き付ける武装用の弾帯には、小銃弾や手榴弾を入れた弾のう、水筒、携帯シャベル等の携帯具が取付けられるので、携帯具を含めた弾帯の総重量が極めて大きくなり、腰に大きな負担がかかることになるため、かかる理由から、肩に掛ける吊りバンドの下端部を弾帯の総重量の一部を肩で支えて腰の負担を軽減する吊りバンド付き弾帯が提案されている。
【０００３】
そして、この吊りバンド付き弾帯は、弾帯が皮革材或いは強靱な繊維材で形成された帯状体に、帯状体の長さを調整する調整具と、また帯状体の両側には相互に着脱可能に連結されるバックル等の連結具とを設け、しかも前記帯状体の長手方向には、係止具係合用の孔を多数配列して設けている。そして、両肩に掛けられる吊りバンドは、前記弾帯に列設される係止具係合用の孔にワンタッチにて係脱自在に係合する係止具を両端部に設けることにより弾帯に取付けられる。また、弾のう、水筒、携帯シャベル等の携帯具は、略長四角形状の枠に形成され長辺の一側に開口部を有する懸吊具本体と、該懸吊具本体を貫通して前記開口部を閉鎖する差込ピンとにより構成される懸吊具の他側に固着される構成になされ、懸吊具本体の前記開口部内に弾帯を貫通することにより着脱自在に取付けられる。
【０００４】
また、弾帯に吊りバンドを取付けるための前記係止具は、前記吊りバンドの端部に連結されるバンド取付枠と、該バンド取付枠に軸部により回動可能に枢着され、一側に開口部を有するリング状の係止具本体と、該係止具本体に基端部が枢着され、先端部が前記開口部の端部の内面に当接する方向に附勢される閉鎖部材とにより構成され、係止具と弾帯との係合が簡単に行え、しかも弾帯に係合している係止具に外部の物が当たった場合に、閉鎖部材が係止具本体の開口部に対して外方向に不用意に開かれるのが阻止される構造の吊りバンド付き弾帯を出願人は既に提案し、権利化がはかられている（例えば特許文献１参照）。
【特許文献１】実用新案登録第３０５４９６０号公報
【考案の開示】
【考案が解決しようとする課題】
【０００５】
しかしながら、特許文献１に記載の上記従来の吊りバンド付き弾帯は、弾帯に吊りバンドを取付けるための係止具は、吊りバンドの端部に連結されるバンド取付枠にリング状の係止具本体がただ単に軸部により回動可能に枢着されているのにすぎないので、兵隊が歩行したり、活動すると、バンド取付枠に対して軸部がガタツキを生じたり、または相互の摩擦により摺擦時の雑音が発生していた。このガタツキや摩擦による摺擦時の雑音は、弾のう、水筒、携帯シャベル等の携帯具の重量が弾帯に加わることにより、顕著にあらわれていた。
【０００６】
本考案吊りバンド付き弾帯は、係止具のバンド取付枠に対する軸部のガタツキや、バンド取付枠と軸部との相互の摩擦による摺擦時の雑音が発生するのを防止する。
【課題を解決するための手段】
【０００７】
本考案は上記課題に鑑みなされ、請求項１に記載の考案は、皮革材或いは強靱な繊維材で形成された帯状体の一側に、該帯状体の端部を折り返して係止し前記帯状体の長さを調整する調整具を設け、前記帯状体の両側を着脱可能に連結するバックル等の連結具を設け、前記帯状体の長手方向に、係止具係合用の孔を多数配列して設けて成る弾帯と、両肩に掛けられる吊りバンドの両端部に、前記弾帯の係止具係合用の孔に係脱自在に係合する係止具を固着した吊りバンド付き弾帯において、
前記係止具は、前記吊りバンドの端部に連結されるバンド取付枠と、該バンド取付枠の内側面に接触する座金部を介してバンド取付枠に軸部により回動可能に枢着され、一側に開口部を有するリング状の係止具本体と、該係止具本体に基端部が枢着され、先端部が前記開口部の端部の内面に当接する方向に附勢される閉鎖部材とにより構成されることを特徴としたという手段を採用した。
【０００８】
また、本考案の請求項２に記載の考案は、請求項１において、前記座金部は、軸部とは別体に形成され、軸部の頭部の下面に介装されることを特徴とするという手段を採用した。
【考案の効果】
【０００９】
本考案は上記従来の欠点を解決し、係止具のバンド取付枠に対する軸部のガタツキや、バンド取付枠と軸部との相互の摩擦により摺擦する際の雑音が発生するのを防止し、簡単な構造にて製作および組付けを容易になす。
【考案を実施するための最良の形態】
【００１０】
以下、図面に従って本考案の実施の最良の形態により、本考案の詳細を説明する。
【００１１】
図１は本考案の吊りバンド付き弾帯の実施形態１を示し、係止具の拡大正面図、図２は同じく吊りバンド付き弾帯およびこれに装備する物品の斜視図、図３は同じく本実施形態１に使用する弾帯の斜視図、図４は同じく弾帯に着脱可能な懸吊具の拡大正面図である。
【００１２】
図中、１は弾帯であり、この弾帯１は皮革材或いは強靱な繊維材で形成された帯状体２の一側に、該帯状体２の端部を折り返して係止し、前記帯状体２の長さを調整する調整具３を設け、前記帯状体２の両側を着脱可能に連結する雄状連結具４Ａと雌状連結具４Ｂとよりなるバックル等の連結具４を設けることにより形成される。また、前記帯状体２の長手方向には、係止具係合用の孔５を多数配列して設けている。
【００１３】
そして、本実施形態の吊りバンド付き弾帯は、両肩に掛けられる吊りバンド６の両端部に、前記弾体１の係止具係合用の孔５に係脱自在に係合する係止具Ａを固着している。
【００１４】
また、弾のう７、水筒８、携帯シャベル９等の携帯具Ｂは、その裏面に固着された懸吊具１０により、簡単、容易に弾体１に取付けられる。
【００１５】
そして、懸吊具１０は、例えば図４に示すように、ほぼ長四角形状の枠に形成された懸吊具本体１２の一方の（図において左側の）長辺に開口１１が設けられ、他方の長辺が携帯具Ｂ（弾のう７、水筒８、携帯シャベル９等）に固着される。
【００１６】
そして、開口１１を利用して内部に弾帯１を挿入し、懸吊具本体１２を貫通する差し込みピン１３により開口１１を閉鎖すると、懸吊具本体１２の下端部１２Ａが差し込みピン１３の先端を弾力的に挟持するようになっている。従って、各種の携帯具Ｂの中から必要となる携帯具Ｂを選択して、短時間に弾帯１に装着することができる吊りバンド付き弾帯におけることは、特許文献１に記載の従来の吊りバンド付き弾帯と同様の構成、作用である。
【００１７】
しかしながら、本実施形態１の吊りバンド付き弾帯は、例えば図１に示すように前記係止具Ａは、前記吊りバンド６の端部に連結され、内部に吊りバンド６の長さ調節部２２,２２或いは連結部２３,２３の先端部が挿通可能な扁平な孔が形成されたバンド取付枠１４と、該バンド取付枠１４の内側面に接触する座金部１５を介してバンド取付枠１４に頭部１６ａを有する軸部１６により回動可能に枢着され、一側に開口部１７を有するリング状の係止具本体１８と、該係止具本体１８に基端部１９ａが支軸Ｓにより枢着され、先端部１９ｂが前記開口部１７の端部の内面に当接する方向に附勢され、傾斜面１８ａに係止可能な閉鎖部材１９とにより構成される。
【００１８】
そして、前記吊りバンド６は、図２に示すように、背部２０と、背部２０の上端から二股に分かれて延設される幅の広い肩当て部２１と、該肩当て部２１の先端に設けられる長さ調節部２２と、背部２０の下端から二股に分かれて延設される連結部２３とにより構成される。そして、連結部２３の先端と長さ調節部２２の先端にそれぞれ係止具Ａが設けられる。
【００１９】
２４は肩当て部２１,２１の表面に縫着される係止部材であり、この係止部材２４,２４には救急袋２５が着脱自在に取付けられる。
【００２０】
本実施形態１の吊りバンド付き弾帯は以上の構成からなり、係止具Ａの吊りバンド６の端部に連結されるバンド取付枠１４が、該バンド取付枠１４の内側面に接触する座金部１５を介して軸部１６によりリング状の係止具本体１８に回動可能に枢着されているので、吊りバンド６の端部に連結されるバンド取付枠１４にリング状の係止具本体１８がただ単に軸部１６により回動可能に枢着された上記従来の吊りバンド付き弾帯とは異なりバンド取付枠１４と係止具本体１８との間には座金部１５により間隙が生じないため、兵隊が歩行したり、活動すると、座金部１５によりバンド取付枠１４に対して軸部１６がガタツキを生ずることなく、またバンド取付枠１４と、リング状の係止具本体１８との相互の摩擦により摺擦する時の雑音が発生されるのが防止される。
【００２１】
そして、このバンド取付枠１４と、リング状の係止具本体１８との相互のガタツキや摩擦により摺擦する時の雑音は、図４に示すような懸吊具１０を介して弾帯１に取付けられている弾のう７、水筒８、携帯シャベル９等の携帯具Ｂの重量が弾帯１に加わって総重量が極めて大きくなった場合にも、バンド取付枠１４と、係止具本体１８との間に介装した座金部１５によりバンド取付枠１４に対して軸部１６がガタツキを生ぜず、またバンド取付枠１４と、リング状の係止具本体１８との相互の摩擦により摺擦する際の雑音が発生されるのが確実に防止された状態にて肩に掛ける吊りバンド６の下端部に係止具Ａにて弾帯１を連結して、弾帯１の総重量の一部を肩で支えて腰の負担を確実に軽減することができる。
【産業上の利用可能性】
【００２２】
本考案の吊りバンド付き弾帯は、係止具のバンド取付枠に対する軸部のガタツキや、バンド取付枠と軸部との相互の摩擦による摺擦する際の雑音を発生するのを防止する分野・用途に適する。
【図面の簡単な説明】
【００２３】
【図１】本考案の吊りバンド付き弾帯の実施形態１を示し、係止具の拡大正面図である。
【図２】図２は同じく吊りバンド付き弾帯およびこれに装備する物品の斜視図である。
【図３】図３は同じく本実施形態１に使用する弾帯の斜視図である。
【図４】図４は同じく弾帯に着脱可能な懸吊具の拡大正面図である。
【符号の説明】
【００２４】
１    弾帯
２    帯状体
３    調整具
４    連結具
５    係止具係合用の孔
６    吊りバンド
１０  懸吊具
１４  バンド取付枠
１５  座金部
１６  軸部
１７  開口部
１８  係止具本体
１９  閉鎖部材
Ａ    係止具
Ｂ    携帯具
【図１】
0003107926.tif 000003
【図２】
0003107926.tif 000004
【図３】
0003107926.tif 000005
【図４】
0003107926.tif 000006